(57)【特許請求の範囲】
【請求項１】
情報記録媒体に連続して記録されるトラック毎に、少なくともトラックの再生順序を示すトラック番号情報を付与するとともに、順番に再生を行う複数のトラックを順序関係をもって１つのグループとして管理するためのグループ管理情報に含まれるグループ情報を付与する情報付与手段と、
前記グループ情報の順序を設定する順序設定手段と、
前記トラック番号情報を変更する番号変更手段と、
を備えた情報記録装置であって、
前記情報付与手段は、前記情報記録媒体に１のトラックを記録する毎に、グループ登録指令があるか否かを判別し、当該グループ登録指令があると判別した場合に、そのトラックに対してグループ情報を付与し、
前記番号変更手段は、前記グループ情報の順序にしたがって前記トラック番号情報を変更することを特徴とする情報記録装置。
【請求項２】
前記１のトラックを記録する毎に、そのトラックに対して付与されるグループ情報は、前記情報記録媒体に既に存在するグループのグループ情報であることを特徴とする請求項１に記載の情報記録装置。
【請求項３】
前記１のトラックを記録する毎に、そのトラックに対して付与されるグループ情報は、新たなグループのグループ情報であることを特徴とする請求項１に記載の情報記録装置。
【請求項４】
前記１のトラックを記録する毎に、そのトラックに対してトラック番号情報が付与されることを特徴とする請求項１乃至３の何れかに記載の情報記録装置。
【請求項５】
前記１のトラックを記録する毎に、そのトラックに対してグループ情報とトラック番号情報とを付与した後、当該付与されたグループ情報を利用して各トラックに付与されているトラック番号情報を変更することを特徴とする請求項４記載の情報記録装置。
【請求項６】
前記１のトラックを記録する毎に、そのトラックに対してグループ情報とトラック番号情報とを付与した後、当該付与されたグループ情報が同一のものであるトラックを、１つのグループとなるようにグループ化編集を行ない、当該編集に基づいて各トラックに付与されているトラック番号情報を変更することを特徴とする請求項４に記載の情報記録装置。
【請求項７】
情報記録媒体に連続して記録されるトラック毎に、少なくともトラックの再生順序を示すトラック番号情報を付与するとともに、順番に再生を行う複数のトラックを順序関係をもって１つのグループとして管理するためのグループ管理情報に含まれるグループ情報を付与する情報付与工程と、
前記グループ情報の順序を設定する順序設定工程と、
前記トラック番号情報を変更する番号変更工程と、
を備えたグループ情報付与方法であって、
前記情報付与工程においては、前記情報記録媒体に１のトラックを記録する毎に、グループ登録指令があるか否かを判別し、当該グループ登録指令があると判別した場合に、そのトラックに対してグループ情報を付与し、
前記番号変更工程においては、前記グループ情報の順序にしたがって前記トラック番号情報を変更することを特徴とするグループ情報付与方法。
【発明の詳細な説明】
【０００１】
【発明の属する技術分野】
本発明は、情報記録媒体に記録されるトラック毎にトラック番号情報を付与する手段を備えた情報記録装置に関する。
【０００２】
【従来の技術】
音楽情報や映像情報が記録される情報記録媒体としては、カセットテープ、ＤＡＴ（ディジタルオーディオテープ）８ミリテープなどに代表される線状情報記録媒体や、ＬＤ（レーザディスク）、ＣＤ（コンパクトディスク）、ＭＤ（ミニディスク）、ＤＶＤ（ディジタルバーサタイルディスク）などに代表されるディスク状情報記録媒体が知られている。
【０００３】
近年、ディスク状情報記録媒体においても、情報の書込みおよび書換えが可能となり、記録されている情報へのアクセスが早いという利点と相まって、目覚しい普及を遂げている。
【０００４】
このディスク状情報記録媒体に楽曲（以下、単に「曲」と記載する）を記録する場合、例えば、１つの曲を「トラック」という単位とし、このトラックにトラック番号情報を付与して管理することができる。このようなトラック番号情報は、ディスク名、曲名、曲数、演奏時間、ディスク上での曲の開始位置や終了位置（位置を時間情報で管理する場合には、開始時間や終了時間）などの記録データを管理する情報とともに、ディスクの最内周部に記録されたＴＯＣ（Table of content）と呼ばれる管理情報に含まれている。ユーザが、記録された曲を再生する際、ディスクの記録再生編集装置を操作し、このようなトラック番号情報を指定して記録した曲を選択することができる。
【０００５】
ところで、最近、ディスク状情報記録媒体への情報記録密度の向上や、新しい情報圧縮方式の確立により、１枚のディスク状情報記録媒体に記録できる曲の数を著しく増加できるようになってきた。例えば、ＭＤでは、従来よりＡＴＲＡＣ（Adaptive TRansform Acoustic Coding）と呼ばれる情報圧縮方式が採用されているが、最近、従来のＡＴＲＡＣの２倍、４倍の圧縮効率を持つＡＴＲＡＣ３と呼ばれる情報圧縮方式により情報記録を行うＭＤＬＰ規格が制定された。このＡＴＲＡＣ３によれば、標準の録音時間８０分のＭＤでは、４倍モードで最長３２０分の記録が可能となる。このような新しい情報圧縮方式によれば、例えば、１曲の時間が約５分であるとしても、６０曲程度をディスクに記録できるようになる。
【０００６】
【発明が解決しようとする課題】
しかしながら、このように非常に多くの曲を記録できるようになると、曲の記録順序の決定や、記録された曲の管理が甚だ面倒になる。例えば、複数のＣＤから一つのＭＤに様々なジャンル（例えば、ロック、ポップス、クラシックなど）の曲をダビングする場合、ユーザは、通常、ジャンル毎に所望の曲を集めて記録することが考えられるが、その際、ジャンル単位での再生順序や、ジャンルの中での曲の再生順序を予め決めておかなければならないという煩わしさがある。また、予め決めておいたジャンル単位での再生順序や、曲の再生順序で記録したとしても、その後、ジャンル単位での再生順序や、曲の再生順序を変更したい場合が出てくることも考えられ、それを変更する場合、ユーザに多大の操作負荷を与えることとなる。
【０００７】
本発明は、以上の点に鑑みてなされたものであり、その課題は、記録されたトラックの管理を効率良く行うことができ、ユーザの操作負荷を低減させることが可能な情報記録装置を提供することを目的とする。
【０００８】
【課題を解決するための手段】
上記課題を解決するため、請求項１に記載の発明は、情報記録媒体に連続して記録されるトラック毎に、少なくともトラックの再生順序を示すトラック番号情報を付与するとともに、順番に再生を行う複数のトラックを順序関係をもって１つのグループとして管理するためのグループ管理情報に含まれるグループ情報を付与する情報付与手段と、前記グループ情報の順序を設定する順序設定手段と、前記トラック番号情報を変更する番号変更手段と、を備えた情報記録装置であって、前記情報付与手段は、前記情報記録媒体に１のトラックを記録する毎に、グループ登録指令があるか否かを判別し、当該グループ登録指令があると判別した場合に、そのトラックに対してグループ情報を付与し、前記番号変更手段は、前記グループ情報の順序にしたがって前記トラック番号情報を変更するように構成する。
【０００９】
請求項１に記載の発明によれば、１のトラックを記録する毎に、グループ登録指令があるか否かが判別され、当該グループ登録指令があると判別された場合に、そのトラックに対してグループ情報が付与され、グループ情報の順序にしたがってトラック番号情報が変更される。従って、ユーザは、記録後、各トラック（例えば、曲）に付与されたグループ情報に基づいて、記録されたトラックの管理を効率良く行うことができ、ユーザの操作負荷を低減させることができる。
【００１０】
請求項２に記載の発明は、請求項１に記載の情報記録装置において、前記１のトラックを記録する毎に、そのトラックに対して付与されるグループ情報は、前記情報記録媒体に既に存在するグループのグループ情報であるように構成する。
【００１１】
請求項２に記載の発明によれば、新たに記録されるトラックと既に存在するグループ内に属しているトラックとを、まとめて管理することができる。
【００１２】
請求項３に記載の発明は、請求項１に記載の情報記録装置において、前記１のトラックを記録する毎に、そのトラックに対して付与されるグループ情報は、新たなグループのグループ情報であるように構成する。
【００１３】
請求項３に記載の発明によれば、新たに記録されるトラックを、既に存在するグループ内に属しているトラックと別々に管理することができる。
【００１４】
請求項４に記載の発明は、請求項１乃至３の何れかに記載の情報記録装置において、前記１のトラックを記録する毎に、そのトラックに対してトラック番号情報が付与されるように構成する。
【００１５】
請求項４に記載の発明によれば、グループ情報とトラック番号情報とを利用して、より一層効率良く記録されたトラックの管理を行うことができる。
【００１６】
請求項５に記載の発明は、請求項４記載の情報記録装置において、前記１のトラックを記録する毎に、そのトラックに対してグループ情報とトラック番号情報とを付与した後、当該付与されたグループ情報を利用して各トラックに付与されているトラック番号情報を変更するように構成する。
【００１７】
請求項５に記載の発明によれば、付与されたグループ情報を利用して、自動的に、トラック番号情報が再付与されるので、ユーザの操作負荷を低減させることができる。
【００１８】
請求項６は、請求項４に記載の情報記録装置において、前記１のトラックを記録する毎に、そのトラックに対してグループ情報とトラック番号情報とを付与した後、当該付与されたグループ情報が同一のものであるトラックを、１つのグループとなるようにグループ化編集を行ない、当該編集に基づいて各トラックに付与されているトラック番号情報を変更するように構成する。
【００１９】
請求項６に記載の発明によれば、同じグループ毎に、トラックが寄せ集められて編集され、かつ、その編集に基づいてトラックにトラック番号情報が再付与されるので、例えば、ユーザは、記録順序を考慮することなく、トラックを記録することができ、ユーザの操作負荷を低減させることができる。
請求項７に記載の発明は、情報記録媒体に連続して記録されるトラック毎に、少なくともトラックの再生順序を示すトラック番号情報を付与するとともに、順番に再生を行う複数のトラックを順序関係をもって１つのグループとして管理するためのグループ管理情報に含まれるグループ情報を付与する情報付与工程と、前記グループ情報の順序を設定する順序設定工程と、前記トラック番号情報を変更する番号変更工程と、を備えたグループ情報付与方法であって、前記情報付与工程においては、前記情報記録媒体に１のトラックを記録する毎に、グループ登録指令があるか否かを判別し、当該グループ登録指令があると判別した場合に、そのトラックに対してグループ情報を付与し、前記番号変更工程においては、前記グループ情報の順序にしたがって前記トラック番号情報を変更するように構成する。
【００２０】
【発明の実施の形態】
以下、本発明の好適な実施の形態を添付図面に基づいて説明する。以下の説明は、光磁気ディスク記録再生装置に対して本発明の情報記録装置を適用した場合の実施形態である。
【００２１】
図１に本発明の実施形態にかかる光磁気ディスク記録再生装置１００の概略構成例を示す。図１に示すように、この光磁気ディスク記録再生装置１００は、情報記録再生部５０と、システムコントローラ５１と、入力部５２と、表示部５３と、を含んで構成され、これら各部は図示のように接続されている。
【００２２】
情報記録再生部５０は、光磁気ディスク２０を回転駆動するための図示しないスピンドルモータと、図示しないレーザービームを出射するレーザーダイオードおよびこのレーザーダイオードからの出射光および光磁気ディスク２０からの反射光を目的に応じて分光する各種スプリッタおよび光磁気ディスク２０からの反射光や各種スプリッタにより分光された光を電気信号に変換するディテクタおよびレーザービームの光磁気ディスク２０に対する焦点を合わせたり、情報トラック上に位置付けるためのアクチュエータとを備えた光ピックアップ２と、光ピックアップ２からの各種電気信号から目的に応じた様々な信号を生成するＲＦアンプ７と、このＲＦアンプ７で生成される光磁気ディスク２０に予め記録されたグループ（溝）の揺らぎを抽出したウォブル信号から光磁気ディスク２０のアドレス情報を検出するＡＤＩＰデコーダ６と、光磁気ディスク２０に記録した情報を再生する際にはＲＦアンプ７で生成される光磁気ディスク２０に記録されている信号を抽出したＲＦ（Radio Frequency）信号のデータに対してＥＦＭ（Eight to Fourteen Modulation）復調を行い、また、光磁気ディスク２０に情報を記録する際には、後述するＤＲＡＭ１２からのデータにＥＦＭ変調を施す機能を有するＥＦＭエンコーダデコーダ９と、光磁気ディスク２０に情報を記録する際に、レーザービームによりキュリー温度以上に熱せられた光磁気ディスク２０の磁性膜に対して磁界を印加する磁気ヘッド３と、この磁気ヘッド３に対してＥＦＭエンコーダデコーダ９によりＥＦＭ変調が施されたデータに応じて磁界の向きを決定し駆動するためのヘッド駆動回路５と、光磁気ディスク２０から情報を再生する際に、ＥＦＭエンコーダデコーダ９によりＥＦＭ復調されたデータを備え、また、光磁気ディスク２０に情報を記録する際に、後述するデータ圧縮エンコーダデコーダ１３により圧縮されたデータを蓄えておくＤＲＡＭ（Dynamic Random Access Memory）１２と、このＤＲＡＭ１２に対してデータの入出力を制御するためのＤＲＡＭコントロール回路１１と、光磁気ディスク２０から情報を再生する際に、ＤＲＡＭ１２からのデータを伸長して、この伸長した信号を出力部１５から出力し、また、光磁気ディスク２０に情報を記録する際に、入力部１４からの信号を圧縮しＤＲＡＭ１２に出力するデータ圧縮エンコーダデコーダ１３と、スピンドルモータや光ピックアップ２を半径方向に駆動する図示しないキャリッジモータや光ピックアップ２のアクチュエータを制御するためのサーボコントロール回路８と、を備えている。なお、アナログ信号をデジタル信号に変換するためのＡ／Ｄコンバータや、デジタル信号をアナログ信号に変換するためのＤ／Ａコンバータの図示は省略している。
【００２３】
システムコントローラ５１は、ＣＰＵ５１ａ、ＲＯＭ５１ｂ、ＲＡＭ５１ｃを備え、情報記録再生部５０における各構成部分を制御し、光磁気ディスク２０への情報の記録や読み出しを行う。また、システムコントローラ５１のＣＰＵ５１ａは、本発明における情報付与手段としての機能を有し、光磁気ディスク２０への情報記録の際に、ＴＯＣと呼ばれる管理情報をトラックに対して付与したり、付与したＴＯＣの編集を行なうなどの処理（以下「ＴＯＣ付与編集処理」という）を実行する。また、ＴＯＣは、光磁気ディスク２０が光磁気ディスク記録再生装置１００から取り出される直前に、光磁気ディスク最内周部に記録される。ＲＯＭ５１ｂには、ＴＯＣ付与編集処理プログラムなどが格納され、ＲＡＭ５１ｃは、主に、作業領域として用いられる。入力部５２は、システムコントローラ１０に、外部から各種操作指令を与えるためのものであり、例えば、情報記録時に、ユーザからの指令をシステムコントローラ１０に与える。表示部５３は、この光磁気ディスク記録再生装置１００の演奏状態を表示したり、情報記録時に、ユーザに対して、必要な情報を表示するものである。
【００２４】
このような構成において、光磁気ディスク記録再生装置１００の情報記録動作時には、入力部１４に入力された入力信号（例えば、ＣＤ再生装置から再生された曲）は、データ圧縮エンコーダデコーダ１３に供給され、データ圧縮エンコード処理が施され、システムコントローラ１０の指示に基づき、その曲データがＤＲＡＭコントロール回路１１によって、一旦、ＤＲＡＭに書き込まれる。そして、所定のタイミングで、読み出されＥＦＭエンコーダデコーダ９に送られ、ＥＦＭエンコーダデコーダ９にて、ＥＦＭ変調等のエンコード処理がされた後、ヘッド駆動回路５に供給されると同時に、光ピックアップ２のレーザーダイオードの出力を上昇させて光磁気ディスク２０の磁性膜をキュリー温度以上に熱することにより、光磁気ディスク２０に曲データが記録される。また、この際、システムコントローラ５１の指示に基づき、サーボコントロール回路８は、サーボ制御を行う。
【００２５】
このように情報（曲）が光磁気ディスク２０に記録される際、システムコントローラ５１により、本発明の特徴部分であるＴＯＣ付与編集処理が行なわれる。ＴＯＣ付与編集処理について、以下に詳しく説明する。始めに、ＴＯＣ付与編集処理の対象となるＴＯＣの論理的構造を図２を参照して説明する。本実施形態にかかるＴＯＣは、ディスク名、１つのトラックに対して付与されるトラック番号情報、曲名、曲数、演奏時間などの管理情報の他に、グループ名情報などを含んだグループ管理情報から構成されている。このグループ管理情報とは、１ないし複数のトラックを１つのグループとして管理するために生成される情報である。このグループ管理情報により、グループ（グループ名情報）とトラック番号情報とが関係付けられる。なお、あるグループに属するトラックに対してグループ名情報を付与する場合は、トラックの１つ１つに対してそのトラックがどのグループに属するかの情報を付与する方法と、グループに対してそのグループに属するトラックがどのトラックであるかを付与する方法がある。前者の方法の場合、グループ管理情報は、《ＴＮＯ１／ＧｒｏｕｐＡ，ＴＮＯ２／ＧｒｏｕｐＢ，ＴＮＯ３／ＧｒｏｕｐＡ，ＴＮＯ４／ＧｒｏｕｐＢ，ＴＮＯ５／ＧｒｏｕｐＣ》という形態とされ、後者の方法の場合、グループ管理情報は、《ＧｒｏｕｐＡ／ＴＮＯ１＆ＴＮＯ２＆ＴＮＯ３，ＧｒｏｕｐＢ／ＴＮＯ４＆ＴＮＯ５》という形態とされる。なお、「ＴＯＮ１」や「ＧｒｏｕｐＡ」の表す意味は、この後詳述する。また、本実施形態においては、このトラックと曲とは１対１に対応する。
【００２６】
図２は、このようなＴＯＣのうち、ディスク名と、グループ名情報と、トラック番号情報と、トラック（曲）との関係づけ（論理的構造）を示す図である。図２中、「Ｄｉｓｃ」はディスク名を示す。「ＧｒｏｕｐＡ」は、「Ａ」という名称で管理されるグループを示す（ＧｒｏｕｐＢ、Ｃ、Ｄ・・・も、それぞれの名称で管理されるグループを示す）。「ＴＯＮ１」は、「１」という番号のトラック番号情報であることを示す（ＴＯＮ２、３・・も、それぞれの番号のトラック番号情報であることを示す）。「ａ」は、「ａ」という名称のトラック（ここでは、「ａ」という名称の曲）であることを示す（ｂ、ｃ、ｄ・・・についても、それぞれの名称の曲であることを示す）。
【００２７】
図２の例では、１つのＤｉｓｃには、ＧｒｏｕｐＡとＧｒｏｕｐＢが登録されており、さらに、ＧｒｏｕｐＡには、ＴＯＮ１が付与された曲「ａ」とＴＯＮ２が付与された曲「ｂ」とＴＯＮ３が付与された曲「ｃ」とが属し、ＧｒｏｕｐＢには、ＴＯＮ４が付与された曲「ｄ」とＴＯＮ５が付与された曲「ｅ」とが属している。このように、本実施形態にかかるＴＯＣにおいては、記録された曲をグループ化して管理している（以下「グループ管理」という）。このようなグループ管理によれば、例えば、再生の際に、ユーザが入力部５２を介して１つの曲を指定する際に、絞り込み指定、例えば、まず、ＧｒｏｕｐＡを指定し、その後に、ＧｒｏｕｐＡに属しているトラック番号情報であるＴＯＮ１を指定することができる。また、このようなディスクを再生する場合に、プログラム再生やランダム再生などの特殊再生方法が指定されていない場合には、トラック番号情報の順序（小さい番号から大きい番号に向けて）で再生させることとなる。
【００２８】
そして、ＴＯＣ付与編集処理では、１つのトラック（曲）を記録する毎に、そのトラックに対して、トラック番号情報やグループ名情報を付与することができる。また、トラック番号情報やグループ名情報を付与した後に、自動的に、トラック番号情報を変更したり、グループ化の編集を行うことができる。
【００２９】
ここで、ＴＯＣ付与編集処理では、トラック番号情報を変更する場合、▲１▼同じトラック番号情報を異なるグループに使用しないこと、▲２▼グループ毎のトラック番号情報は、最初の番号から最後の番号に増加する連続性を持ち、かつ、欠番は認めること、のトラック番号情報の付与のルール（以下「ＴＮＯ付与ルール」という）を規定する。
【００３０】
次に、情報記録時、例えば、ＣＤ再生装置から出力され、光磁気ディスク記録再生装置１００に入力された曲を光磁気ディスク２０にダビングする場合のＴＯＣ付与編集処理について、図３および図４を参照して説明する。図３は、ＴＯＣ付与編集処理ルーチンを示すフローチャートである。図４は、ＴＯＣ付与編集処理におけるＴＯＣの論理的構造の変化のようすを表す一例を示すものである。
【００３１】
まず、ユーザが、入力部５２を操作して、記録指令を入力すると、ＣＰＵ５１ａはこれを認識し（ステップＳ１）、光磁気ディスク記録再生装置１００の各構成部分の情報記録制御を開始し、光磁気ディスク２０からＴＯＣを読み出し、一時、ＲＡＭ５１ｃに記憶する。そして、ＣＤ再生装置から出力された曲が、入力部１４、データ圧縮エンコーダデコーダを介して、ＤＲＡＭコントロール回路１１に入力されると、ＣＰＵ５１ａはこれを認識し、その曲（トラック）に対してトラック番号情報を付与し（ステップＳ２）、これをするＲＡＭ５１ｃに記憶しステップＳ３に移行する。
【００３２】
ステップＳ３では、ＣＰＵ５１ａは、曲（トラック）の切換（変更）があるか否かを判別する。即ち、入力された曲が次の曲に切り換わったか否かを判別する。これは、例えば、ＣＤ再生装置から出力されたトラックナンバーの変化を検出したり、曲間に一定の空白時間を検出することにより行なわれるが、ユーザにより、切換指令を入力するように構成してもよい。切換がないと判断された場合には、ＣＰＵ５１ａは、ステップＳ４に移行する。一方、切換があると判断された場合には、その曲（トラック）に対して、トラック番号情報を付与する。
【００３３】
ステップＳ４では、ＣＰＵ５１ａは、記録中の曲（トラック）に対して、ユーザによる入力部５２からのグループ登録指令があるか否かを判別する。ユーザは、このグループ登録指令を、入力部５２から入力する際、既にＴＯＣ内に存在するグループ名情報（以下「既存グループ名情報」）と、新たな（予めＲＯＭ５１ｂ等に設定）グループ名情報（以下「新規グループ名情報」）との何れかを指定する。かかる指定は、例えば、既存グループ名情報である場合、表示部５３に既存グループ名情報を表示して入力部５２により選択できるようにし、新規グループ名情報である場合、入力部５２より新規グループ名情報を入力できるようにする。なお、新規グループ名情報の指定の場合、例えば、入力部５２のテンキー等の数字を取り敢えず、新規グループ名情報として付与しておき、記録終了後、それらの数字をジャンル名などに変えるようにしてもよい。
【００３４】
ステップＳ４にて、グループ登録指令があると判別した場合には、ＣＰＵ５１ａは、ステップＳ５に移行する。一方、グループ登録指令がないと判別した場合には、ＣＰＵ５１ａは、ステップＳ８に移行する。
【００３５】
ステップＳ５では、ＣＰＵ５１ａは、既存グループへの登録、即ち、既存グループ名情報が指定されたか否かを判別する。既存グループへの登録であると判別した場合には、ＣＰＵａは、その曲（トラック）に対して、指定された既存グループ名情報を付与し（ステップＳ６）、それをＲＡＭ５１ｃに記憶する。これにより、ユーザは、記録後、新たに記録された曲（トラック）と、既に記録されていた曲（トラック）とを、まとめて管理することができる。一方、既存グループへの登録でないと判別した場合には、ＣＰＵａは、その曲（トラック）に対して、新規グループ名情報を付与し（ステップＳ７）、それをＲＡＭ５１ｃに記憶する。これにより、ユーザは、記録後、新たに記録された曲（トラック）と、既に記録されていた曲（トラック）とを、別々に管理することができる。
【００３６】
次に、ユーザが、入力部５２を操作して、記録中の曲（トラック）に対して名称の入力を行うと、ＣＰＵ５１ａは、これを認識し（スッテプＳ８）、その曲（トラック）に対して、名称を登録する（ステップＳ９）。
【００３７】
そして、ＣＰＵ５１ａは、入力部５２からの記録終了指令、若しくは、プログラム記録による記録終了指令があるまで、ステップＳ２〜Ｓ９の処理を繰り返し実行する（ステップＳ１０）。即ち、こうして、曲（トラック）が切換わる度に、自動的にトラック番号情報が付与され、ユーザの任意によりグループ名情報が付与されることとなる。図４（Ａ）は、曲（トラック）に、トラック番号情報およびグループ名情報が付与された後のＴＯＣの論理的構造の一例を示すものである。図４（Ａ）の例では、左側から右側に向かって、曲が記録された場合の例を示しており、記録された順序で各曲（トラック）に対してトラック番号情報（ＴＯＮ１、ＴＯＮ２、・・）が付与されている。また、各曲（トラック）に対してグループ名情報（Ｇｒｏｕｐ３、Ｇｒｏｕｐ２、・・）が、付与されている。
【００３８】
次に、ステップＳ１１では、ＣＰＵ５１ａは、付与されたグループ名情報が同一である曲（トラック）を、１つのグループになるようにグループ化編集を行う。図４（Ｂ）は、グループ化編集された後のＴＯＣの論理的構造の一例を示すものである。図４（Ｂ）の例では、Ｇｒｏｕｐ１、Ｇｒｏｕｐ２、Ｇｒｏｕｐ３という順序でグループ化編集され、例えば、Ｇｒｏｕｐ１には、曲「ｂｂ」（ＴＯＮ４）、曲「ｂａ」（ＴＯＮ６）、曲「ａｂ」（ＴＯＮ７）が、属している。また、このグループ化編集により、記録された曲順が変更されている（ＴＯＮ１、ＴＯＮ２、・・であった順序が、ＴＯＮ４、ＴＯＮ６、・・という順序に変更）。また、グループ化編集において、グループの順序は、ユーザにより入力部５２から任意に設定（例えば、アルファベット順に設定）することができる。そして、各曲に付与されているトラック番号情報が当初のままであると、再生時にトラック番号順（特殊再生方法を指定せずに）で再生した場合、グループが入り乱れて再生されてしまう。
【００３９】
次に、ステップＳ１２では、ＣＰＵ５１ａは、このグループ化編集に基づいて、各曲（トラック）に付与されているトラック番号情報を変更する（ステップＳ１２）。即ち、ＣＰＵ５１ａは、全ての曲（トラック）に対し、ＴＮＯ付与ルールに従って、トラック番号情報の再付与を行う。図４（Ｃ）は、トラック番号情報の再付与後のＴＯＣの論理的構造の一例を示すものである。図４（Ｃ）に示すように、グループ化編集により、変更された後の曲（トラック）の順序で、トラック番号情報が付与される。こうして、ＣＰＵ５１ａにより、新しいＴＯＣが作成され（ステップＳ１３）、これが最終的に光ディスク２０の最内周部に記録される。
【００４０】
以上説明したように、本実施形態によれば、１曲ダビングする毎に、トラック番号情報およびグループ名情報を簡単に付与できる構成とし、ダビングが終了した後に、グループ毎に曲を寄せ集めてグループ化し、そのグループ化に基づき、自動的に、トラック番号情報を再付与することができるので、ユーザは、ダビングの際、記録する曲の順序を予め決めておく必要がない。従って、ユーザがどのような順序で曲を記録しても、所望する曲順に自動的に編集されるので、ユーザの操作負荷を低減させることができる。
【００４１】
そして、このように作成されたＴＯＣは、記録後に、ユーザが任意に編集することが可能である。例えば、グループ名情報およびトラック番号情報の移動や、入れ替え等を行うことができる。従って、ジャンル単位での再生順序や、曲の再生順序を簡単に変更することができるので、効率良く曲を管理することができる。
【００４２】
なお、上記実施形態においては、光磁気ディスク記録再生装置に対して本発明の情報記録媒体の編集装置を適用した場合について説明したが、ＭＤ、ＣＤ、ＤＶＤ、ＬＤなどの情報記録媒体用の記録再生装置、あるいは、これら情報記録媒体を複数使用可能な一体型のオーディオ装置、車載用のオーディオ装置などに対して適用することが可能である。
【００４３】
【発明の効果】
以上説明したように、請求項１に記載の発明によれば、ユーザは、記録後、各トラックに付与されたグループ情報に基づいて、記録されたトラックの管理を効率良く行うことができ、ユーザの操作負荷を低減させることができる。
【００４４】
請求項２に記載の発明によれば、新たに記録されるトラックと既に存在するグループ内に属しているトラックとを、統合して管理することができる。
【００４５】
請求項３に記載の発明によれば、新たに記録されるトラックを、既に存在するグループ内に属しているトラックと別々に管理することができる。
【００４６】
請求項４に記載の発明によれば、グループ情報とトラック番号情報とを利用して、より一層効率良く記録されたトラックの管理を行うことができる。
【００４７】
請求項５に記載の発明によれば、付与されたグループ情報を利用して、自動的に、トラック番号情報が再付与されるように構成したので、ユーザの操作負荷を低減させることができる。
【００４８】
請求項６に記載の発明によれば、同じグループ毎に、トラックが寄せ集められて編集され、かつ、その編集に基づいてトラックにトラック番号情報が再付与されるように構成したので、例えば、ユーザは、記録順序を考慮することなく、トラックを記録することができ、ユーザの操作負荷を低減させることができる。
【図面の簡単な説明】
【図１】本発明の実施形態にかかる光磁気ディスク記録再生装置の概略構成例を示す図である。
【図２】ディスク名と、グループ名情報と、トラック番号情報と、トラック（曲）との関係づけ（論理的構造）を示す図である。
【図３】ＴＯＣ付与編集処理ルーチンを示すフローチャートである。
【図４】ＴＯＣ付与編集処理におけるＴＯＣの論理的構造の変化のようすを表す一例を示す図である。
【符号の説明】
２  光ピックアップ
３  磁気ヘッド
５  ヘッド駆動回路
６  ＡＤＩＰデコーダ
７  ＲＦアンプ
８  サーボコントロール回路
９  ＥＦＭエンコーダデコーダ
１１  ＤＲＡＭコントロール回路
１２  ＤＲＡＭ
１３  データ圧縮エンコーダデコーダ
２０  光磁気ディスク
５０  情報記録再生部
５１  システムコントローラ
５１ａ  ＣＰＵ
５１ｂ  ＲＯＭ
５１ｃ  ＲＡＭ
５２  入力部
５３  表示部
１００  光磁気ディスク記録再生装置
【図１】
0003696499.tif 000002
【図２】
0003696499.tif 000003
【図３】
0003696499.tif 000004
【図４】
0003696499.tif 000005